(57)【要約】【課題】  遮蔽部材による被覆を確実に行うことによって、コネクタ内に外部から埃や塵などが侵入してメス型端子に付着するのを確実に防止することである。【解決手段】  複数のピンポスト３ｂを有する第１部材２と、前記第１部材２と結合し、前記複数のピンポスト３ｂと接触して電気的に接続する複数のコンタクトを有する第２部材４と、少なくとも前記第２部材４をコンタクト側から被覆し、常時は前記コンタクトの挿抜口５ｄを閉塞する切り込み１０が設けられた遮蔽部材６と、を備え、前記第１部材２と第２部材４とが結合された際には、前記遮蔽部材６が第１部材２に圧接される。【選択図】  図１
2016051621.tif 000002
【特許請求の範囲】
【請求項１】
複数のオス型端子を有する第１部材と、
前記第１部材と結合し、前記複数のオス型端子と接触して電気的に接続する複数のメス型端子を有する第２部材と、
少なくとも前記第２部材をメス型端子側から被覆し、常時は前記メス型端子の挿抜口を閉塞する切り込みが設けられた遮蔽部材と、を備え、
前記第１部材と第２部材とが結合された際には、前記遮蔽部材が第１部材に圧接されるコネクタ。
【請求項２】
前記遮蔽部材は、前記第１部材と第２部材との間で圧縮変形する請求項１に記載のコネクタ。
【請求項３】
前記遮蔽部材にはメス型端子を収容する長穴が設けられ、この長穴の底部に前記切り込みが設けられる請求項１又は２に記載のコネクタ。
【請求項４】
前記遮蔽部材には切り込みの周囲にリング状の凹溝が設けられる請求項１乃至３のいずれかに記載のコネクタ。
【請求項５】
前記遮蔽部材がスポンジからなる請求項１乃至４のいずれかに記載のコネクタ。
【請求項６】
前記第１部材がピンヘッダからなり、前記第２部材がピンソケットからなる請求項１に記載のコネクタ。
【請求項７】
前記第１部材がプラグからなり、前記第２部材がレセプタクルからなる請求項１に記載のコネクタ。
【発明の詳細な説明】
【技術分野】
【０００１】
本発明は、埃や塵、フラックスなどの異物が内部に侵入して接触端子などに付着するのを防ぐコネクタに関する。
【背景技術】
【０００２】
特許文献１に記載されたコネクタは、外部より挿入される突起状の接触子と嵌合するメス型接触端子と、メス型接触端子を収容するハウジングと、ハウジングの一つの面に設けられ、前記メス型接触端子の挿入端の前面を覆ってメス型接触端子を外部よりほぼ密閉する絶縁性の弾性体からなる遮蔽部材と、遮蔽部材のメス型接触端子の挿入端と対向する位置に形成された切り込みとを有するものである。そして、前記切り込みは、突起状の接触子が挿入されないときは弾性により閉じており、外部より突起状の接触子が切り込みを通してメス型接触端子に挿入されたときに、切り込みの部分が弾性により突起状の接触子の表面と密着するものである。
【０００３】
このような従来のコネクタにあっては、コネクタに突起状の接触子が挿入されてない状態では、遮蔽板の弾性によって切り込みがほぼ完全に閉じられ、外部からの異物の侵入を遮断する一方、コネクタのメス型接触端子に切り込みを通して突起状の接触子が挿入されている場合には、切り込みの復元力によって接触子の表面に密着することで、コネクタの内部が外部からほぼ完全に遮断される構造である。
【先行技術文献】
【特許文献】
【０００４】
【特許文献１】特開平６−２２３６８１号公報
【発明の概要】
【発明が解決しようとする課題】
【０００５】
しかしながら、上記従来のコネクタにあっては、前記メス型接触端子の挿入端の前面を覆うように、帯状の遮蔽部材を薄型ハウジングの一つの面のみに接着固定してあるので、遮蔽部材の接着面積が小さいものである。そのため、遮蔽部材の接着力が不十分であったり、遮蔽部材がハウジングの一つの面から多少ずれた状態で接着固定されていると、メス型接触端子の挿入端の前面を確実に密閉できず、異物の混入を遮断できないおそれがあった。
【０００６】
そこで、本発明が解決しようとする課題は、遮蔽部材による被覆を確実に行うことによって、コネクタ内に外部からの埃や塵などが侵入してメス型端子に付着するのを確実に防止することである。
【課題を解決するための手段】
【０００７】
上記課題を解決するため、本発明に係るコネクタは、複数のオス型端子を有する第１部材と、前記第１部材と結合し、前記複数のオス型端子と接触して電気的に接続する複数のメス型端子を有する第２部材と、少なくとも前記第２部材をメス型端子側から被覆し、常時は前記メス型端子の挿抜口を閉塞する切り込みが設けられた遮蔽部材とを備え、第１部材と第２部材とが結合された際には、前記遮蔽部材が第１部材に圧接する。
【０００８】
また、本発明に係るコネクタの一実施形態では、第１部材がピンヘッダ又はプラグからなり、第２部材がピンソケット又はレセプタクルからなる。
【０００９】
また、本発明に係るコネクタの一実施形態では、遮蔽部材には切り込みの周囲にリング状の凹溝が設けられる。
【００１０】
また、本発明に係るコネクタの一実施形態では、遮蔽部材にメス型端子を収容する長穴が設けられ、この長穴の底部に前記切り込みが設けられる。
【００１１】
さらに、本発明に係るコネクタの一実施形態では、遮蔽部材がスポンジからなっている。
【発明の効果】
【００１２】
本発明のコネクタは、遮蔽部材によって少なくとも第２部材をメス型端子側から被覆し、遮蔽部材に設けられた切り込みが常時はメス型端子の挿抜口を閉塞し、第１部材と第２部材とが結合された際には、前記遮蔽部材が第１部材に圧接するので、第２部材の挿抜口に外部から埃や塵などが侵入するのを確実に防ぐことができ、また、メス型端子にフラックスなどの異物が付着することもない。
【００１３】
また、本発明のコネクタにあっては、遮蔽部材がスポンジからなるので、外部からの力で容易に圧縮変形し、第１部材と第２部材とを結合した際、第１部材と遮蔽部材との密着性を高めることができる。
【図面の簡単な説明】
【００１４】
【図１】本発明の第１実施態様に係るコネクタの分解斜視図である。
【図２】第２部材に遮蔽部材を配置した状態の断面図である。
【図３】第１部材と第２部材とを結合したコネクタの断面図である。
【図４】本発明の第２実施形態に係るコネクタの遮蔽部材の平面図である。
【図５】第２実施形態において、第２部材に遮蔽部材を配置した状態の断面図である。
【図６】第２実施形態において、第１部材と第２部材とを結合したコネクタの断面図である。
【図７】本発明の第３実施形態に係るコネクタにおいて、第１部材と第２部材にそれぞれ遮蔽部材を配置した状態の断面図である。
【図８】第３実施形態において、第１部材と第２部材とを結合したコネクタの断面図である。
【図９】本発明の第４実施態様に係るコネクタの分解斜視図である。
【図１０】第４実施形態において、第１部材と第２部材に弾性カバーを配置した状態の断面図である。
【図１１】第４実施形態において、第１部材と第２部材とを結合したコネクタの断面図である。
【発明を実施するための形態】
【００１５】
以下、本発明に係るコネクタの第１実施形態を、図１乃至図３に基づいて詳細に説明する。この実施形態に係るコネクタ１は、複数のピンヘッダ３を備えた第１部材２と、この第１部材２と結合した際、前記ピンヘッダ３を受け入れる複数のピンソケット５を備えた第２部材４と、前記ピンソケット５を被覆するように第２部材４に配置されたブロック状の遮蔽部材６からなる。前記第１部材２は、矩形の板状の基台７に５本のピンヘッダ３を等間隔に配列したもので、各ピンヘッダ３の胴部３ａが基台７に差込固定されている。
【００１６】
一方、第２部材４は、前記第１部材２の基台７と略同一形状からなる基台８に５本のピンソケット５のハウジング５ａを差込固定したものである。５本のピンソケット５は基台８に等間隔に配列され、前記ピンヘッダ３の配列位置に対応している。なお、前記ピンソケット５のハウジング５ａの内部にはピンヘッダ３のオス型端子となるピンポスト３ｂと接触するコンタクト５ｂが設けられ、このメス型端子となるコンタクト５ｂが基台８の下方に延びるピン端子５ｃに接続されている。また、ハウジング５ａの上面にはピンヘッダ３のピンポスト３ｂが挿入される挿抜口５ｄが設けられている。
【００１７】
前記第２部材４の各ピンソケット５を被覆する遮蔽部材６は、ブロック状の弾性部材からなり、前記ピンソケット５のハウジング５ａを収容するために、ハウジング５ａとほぼ同一形状の長穴９が、遮蔽部材６の下面６ｂ側から設けられている。遮蔽部材６の各長穴９内に基台８の上面８ａから突出するピンソケット５のハウジング５ａを嵌め入れ、遮蔽部材６の下面６ｂを基台８の上面８ａに当接させることで、ハウジング５ａ全体が遮蔽部材６によって被覆されることになる。なお、この実施形態における遮蔽部材６は、図１に示されるように、基台８の上面８ａと略同一形状の下面６ｂを有する直方体形状であり、下面６ｂが基台８の上面８ａに接着固定されている。
【００１８】
また、前記遮蔽部材６の上面６ａには、前記長穴９の底部に連通する切り込み１０が設けられている。この切り込み１０は、図１に示されるように、十文字形状に切り込まれており、常時は遮蔽部材６の弾性によって閉じられている一方、ピンヘッダ３のピンポスト３ｂによって押し開かれる。
【００１９】
前記遮蔽部材６は、外部からの力で容易に圧縮変形するような弾性体が好ましく、例えばウレタンなどの合成樹脂を発泡成形したスポンジのように、内部に細かい孔が多数設けられた多孔質の柔らかい物質などで作られる。
【００２０】
上記のように、本実施形態では複数のピンソケット５が遮蔽部材６によって被覆されており、また常時は切り込み１０が弾性によって閉じられているので、ピンソケット５の挿抜口５ｄに外部から埃や塵などが侵入することがなく、またフラックスなどの付着なども確実に防止される。
【００２１】
図３には第１部材２と第２部材４とを結合した状態が示されている。第２部材４のピンソケット５を被覆する遮蔽部材６の上面６ａに第１部材２のピンヘッダ３を位置合わせし、遮蔽部材６の上面６ａに設けられた切り込み１０にピンポスト３ｂを押し込む。この時、切り込み１０は遮蔽部材６の弾性に抗して押し開かれる。ピンポスト３ｂは、さらに挿抜口５ｄからハウジング５ａの内部に挿入され、コンタクト５ｂと接触して電気的な接続が図られる。第１部材２を所定の位置まで押し込むことで、遮蔽部材６が第１部材２の基台７と第２部材４の基台８との間で適度に押圧変形され、特にハウジング５の挿抜口５ｄが設けられている上端と遮蔽部材６の上面６ａとの間の厚みｔが潰れたように圧縮変形を受ける。このように、圧縮変形を受けた遮蔽部材６の上面６ａが第１部材２の基台７の下面を適度に圧接すると共に切り込み１０がその復元力によってピンポスト３ｂの周囲に密着しているので、ハウジング５の挿抜口５ｄが確実に閉塞されることになり、挿抜口５ｄからハウジング５ａ内に外部の埃や塵などが侵入するのを確実に防ぐことができる。
【００２２】
図４乃至図６には本発明の第２実施形態に係るコネクタ１１が示されている。このコネクタ１１は、第２部材４に配置された遮蔽部材６の上面６ａにリング状の凹溝１２が形成されている以外は、第１実施形態に係るコネクタ１と同一の構成からなるので、同一の符号を付すことによって詳細な説明は省略する。前記凹溝１２は、各切り込み１０の周囲にそれぞれ設けられ、特にこの実施形態では、図４に示されるように、隣接する凹溝１２同士がつながって形成されている。なお、それぞれの凹溝１２が独立したリングを形成していてもよい。
【００２３】
上記のように遮蔽部材６の上面６ａにおいて、切り込み１０の周囲にリング状の凹溝１２を形成したことによって、遮蔽部材６の切り込み１０の周囲がより一層圧縮変形を受け易くなり、図６に示したように、第１部材２と第２部材４とを結合した際には第１部材２の基台７の下面に遮蔽部材６の上面６ａが圧接して緊密にフィットする。
【００２４】
図７及び図８には本発明の第３実施形態に係るコネクタ２１が示されている。このコネクタ２１は、第１部材２にも弾性体からなる遮蔽部材１６を配置した以外は、前記第２実施形態に係るコネクタ１１と同一の構成からなるので、同一の符号を付すことによって詳細な説明は省略する。第１部材２に配置される遮蔽部材１６は、前記第２部材４の遮蔽部材６と同様、第１部材２の基台７の下面と略同一形状の上面１６ａを有する直方体形状のスポンジからなり、上面１６ａが基台７の下面に接着固定されている。また、遮蔽部材１６には、前記ピンポスト３ｂを収容するために、ピンポスト３ｂとほぼ同一形状の長穴１７が遮蔽部材６の上面１６ａ側から開口されており、この長穴１７に基台７の下方に突出するピンポスト３ｂを嵌め入れることで、ピンポスト３ｂ全体を被覆している。
【００２５】
さらに、前記遮蔽部材１６の下面１６ｂには、前記第２部材４の遮蔽部材６と同様、前記長穴１７の底部に連通する十文字形状の切り込み１８が設けられると共に、この切り込み１８の周囲にはリング状の凹溝１９が設けられている。このように、本実施形態では複数のピンポスト３ｂが遮蔽部材１６によって被覆されており、また常時は切り込み１８が弾性によって閉じられているので、長穴１７内に外部から埃や塵などが侵入することがなく、またピンポスト３ｂにフラックスなどが付着することもない。
【００２６】
この実施形態に係るコネクタ２１では、第１部材２と第２部材４とを結合する際、第２部材４の上に第１部材２を載せると、両方の遮蔽部材６，１６にそれぞれ設けられた切り込み１０，１８が一直線上に重なる。そのため、第１部材２を第２部材４に押し付けると、ピンヘッダ３のピンポスト３ｂが一直線上にある切り込み１０，１８を押し開いて、ピンソケット５の挿抜口５ｄに挿入され、さらに、図８に示されるように、ハウジング５ａの内部にまで挿入されることで、ピンポスト３ｂがコンタクト５ｂと接触し、電気的な接続が図られる。
【００２７】
本実施形態では両方の遮蔽部材６，１６の圧縮率が先のいずれの実施形態より大きくなるが、遮蔽部材６，１６の材質がスポンジ様であること、またいずれの遮蔽部材６，１６とも切り込み１０，１８の周囲にリング状の凹溝１２，１９を設けていることから、遮蔽部材６，１６の柔軟な圧縮変形が可能となり、第１部材２と第２部材４を適切な位置関係で結合することができ、ピンポスト３ｂとコンタクト５ｂとを確実に接触させることができる。
【００２８】
このように、本実施形態では第１部材２と第２部材４の非結合時には、ピンソケット５のみならず、ピンヘッダ３についても外部の埃や塵などの侵入や付着を防止することができる他、第１部材２と第２部材４の結合時には圧縮変形した一方の遮蔽部材６の上面６ａと他方の遮蔽部材１６の下面１６ｂとが互いに圧接した状態で密着しているので、ハウジング５ａの挿抜口５ｄを確実に閉塞することができ、挿抜口５ｄからハウジング５ａ内に外部の埃や塵などが侵入するのを確実に防ぐことができる。
【００２９】
図９乃至図１１には本発明の第４実施例に係るコネクタ３１が示されている。このコネクタ３１は、第１部材としてのプラグ３２と、第２部材としてのレセプタクル３３とで構成される狭ピッチコネクタに適用されるものである。プラグ３２は狭ピッチで左右に配列された複数のオス型端子３４を備え、またレセプタクル３３は前記オス型端子３４と同じ狭ピッチで左右に配列された複数のメス型端子３５を備えている。左右のメス型端子３５の間には支持壁３３ｃが設けられている。
【００３０】
また、この実施形態におけるコネクタ３１では、前記プラグ３２に装着される遮蔽部材としての第１弾性カバー３６と、前記レセプタクル３３に装着される遮蔽部材としての第２弾性カバー３７とを備えている。第１弾性カバー３６は、前記プラグ３２のオス型端子３４側を被覆する上面３６ａと両側面３６ｂを有する。図１０に示されるように、両側面３６ｂは、その下端がハウジング３２ａの張出部３２ｂに当接する高さを備えている。そのため、両側面３６ｂの下端から外部の埃や塵などが内部に侵入することがない。また、第１弾性カバー３６の上面３６ａにはオス型端子３４の頂部に対応した位置に一対の線状の切り込み３８が長手方向に沿って設けられている。切り込み３８の長さは配列された複数のオス型端子３４の全てを含むものであり、その両端には線状の切り込み３８と直交するように僅かな幅の切り込み３８ａが設けられている。
【００３１】
そのため、プラグ３２全体にオス型端子３４側から第１弾性カバー３６を被せることで、上面３６ａと両側面３６ｂとでオス型端子３４全体を被覆することができる。そして、常時は上面３６ａの切り込み３８が弾性作用で閉じており、両側面３６ｂの下端はハウジング３２ａの張出部３２ｂに当接しているので、切り込み３８の隙間や両側面３６ｂの下端から外部の埃や塵などが第１弾性カバー３６内に侵入することがなく、オス型端子３４への異物の付着を確実に防ぐことができる。
【００３２】
一方、前記レセプタクル３３に装着される第２弾性カバー３７は、レセプタクル３３の全体をメス型端子３５側から被覆するように、上面３７ａと両側面３７ｂとを有する。図１０に示されるように、両側面３７ｂは、その下端がハウジング３３ａの張出部３３ｂに当接する高さを備えているため、両側面３７ｂの下端から外部の埃や塵などが内部に侵入することがない。また、第２弾性カバー３７の上面３７ａには３本の線状の切り込み３９が長手方向に沿って設けられ、それぞれの切り込み３９の両端には、この切り込み３９と直交するように僅かな幅の切り込み３９ａが設けられている。前記３本の線状の切り込み３９は、中央の１本が左右のメス型端子３５の間の支持壁３３ｃに沿って設けられ、両側の２本が第１弾性カバー３６に設けられた切り込み３８の位置より外側に設けられている。これは、プラグ３２のオス型端子３４をレセプタクル３３のメス型端子３５に嵌め込むときに、両方の弾性カバー３６，３７が妨げにならないようにするためである。
【００３３】
そのため、レセプタクル３３全体にメス型端子３５側から第２弾性カバー３７を被せることで、上面３７ａと両側面３７ｂとでメス型端子３５を被覆することができる。そして、常時は上面３７ａの３本の切り込み３９が弾性作用で閉じており、両側面３７ｂの下端がハウジング３３ａの張出部３３ｂに当接しているので、切り込み３９の隙間や両側面３７ｂの下端から外部の埃や塵などが第２弾性カバー３７内に侵入することがなく、メス型端子３５への異物の付着を確実に防ぐことができる。なお、前記第１弾性カバー３６及び第２弾性カバー３７は、上記の実施形態で説明した遮蔽部材６，１６と同様、ウレタンなどの合成樹脂を発泡成形したスポンジで作られていることが望ましい。
【００３４】
図１０及び図１１にはプラグ３２とレセプタクル３３を結合する前と、結合した後のコネクタ３１が示されている。図１０に示されるように、プラグ３２のオス型端子３４をレセプタクル３３のメス型端子３５に嵌め込む際には、プラグ３２をレセプタクル３３に嵌め込むようにして押し付ける。これによって、オス型端子３４が第１弾性カバー３６の切り込み３８及び第２弾性カバー３７の切り込み３９をカバーの弾性に抗して押し開き、図１１に示されるように、メス型端子３５に嵌め込まれる。このように、オス型端子３４を所定位置まで押し込み、メス型端子３５に接触させることで電気的な接続が図られる。またこの時、第１弾性カバー３６と第２弾性カバー３７は適度に圧縮変形されて、互いに圧接される。
【００３５】
具体的には、第１弾性カバー３６は、図１０に示されるように、２本の切り込み３８を挟んで、第１弾性部４０ａ、第２弾性部４０ｂ、第３弾性部４０ｃが、レセプタクル３３側からの押圧作用を受けた時に圧縮変形して、図１１に示されるように、それぞれ第１圧縮部４１ａ、第２圧縮部４１ｂ、第３圧縮部４１ｃとなる。また、第２弾性カバー３７は、図１０に示されるように、３本の切り込み３９を挟んで、第４弾性部４２ａ、第５弾性部４２ｂ、第６弾性部４２ｃ、第７弾性部４２ｄが、プラグ３２側からの押圧作用を受けた時に、図１１に示されるように、第５弾性部４２ｂと第６弾性部４２ｃのみが圧縮変形して、それぞれ第５圧縮部４３ｂ、第６圧縮部４３ｃとなり、外側の第４弾性部４２ａと第７弾性部４２ｄは圧縮変形せずにそのままの状態で残る。
【００３６】
このように、コネクタ３１として一体に結合された状態にあっても、オス型端子３４とメス型端子３５との接触部分及び両方のハウジング３２ａ，３３ａ全体が第１弾性カバー３６及び第２弾性カバー３７によって被覆され、ハウジング３２ａ，３３ａ同士が圧接した状態にあるので、ハウジング３２ａ，３３ａ内に外部の埃や塵が侵入したり、端子同士の接触部分に異物が付着するのを確実に防ぐことができる。
【００３７】
以上、本発明の好ましい実施形態について述べてきたが、本発明は、これら実施形態に限定されず、種々の変形および変更がこれら実施形態になされ得るものである。
【符号の説明】
【００３８】
１，１１，２１，３１  コネクタ
２  第１部材
３  ピンヘッダ
３ａ  胴部
３ｂ  ピンポスト（オス型端子）
４  第２部材
５  ピンソケット
５ａ  ハウジング
５ｂ  コンタクト（メス型端子）
５ｃ  ピン端子
５ｄ  挿抜口
６，１６  遮蔽部材
６ａ，１６ａ  上面
６ｂ，１６ｂ  下面
７，８  基台
９，１７  長穴
１０，１８  切り込み
１２，１９  凹溝
３２  プラグ
３２ａ  プラグのハウジング
３２ｂ  プラグの張出部
３３  レセプタクル
３３ａ  レセプタクルのハウジング
３３ｂ  レセプタクルの張出部
３３ｃ  支持壁
３４  オス型端子
３５  メス型端子
３６  第１弾性カバー
３６ａ  第１弾性カバーの上面
３６ｂ  第１弾性カバーの両側面
３７  第２弾性カバー
３７ａ  第２弾性カバーの上面
３７ｂ  第２弾性カバーの両側面
３８，３９  線状の切り込み
３８ａ，３９ａ  僅かな幅の切り込み
４０ａ  第１弾性部
４０ｂ  第２弾性部
４０ｃ  第３弾性部
４１ａ  第１圧縮部
４１ｂ  第２圧縮部
４１ｃ  第３圧縮部
４２ａ  第４弾性部
４２ｂ  第５弾性部
４２ｃ  第６弾性部
４２ｄ  第７弾性部
４３ｂ  第５圧縮部
４３ｃ  第６圧縮部
【図１】
2016051621.tif 000003
【図２】
2016051621.tif 000004
【図３】
2016051621.tif 000005
【図４】
2016051621.tif 000006
【図５】
2016051621.tif 000007
【図６】
2016051621.tif 000008
【図７】
2016051621.tif 000009
【図８】
2016051621.tif 000010
【図９】
2016051621.tif 000011
【図１０】
2016051621.tif 000012
【図１１】
2016051621.tif 000013